(57)【要約】      （修正有）【課題】懐中電灯の傾倒検出精度の向上、精度維持の容易化、傾倒検出センサーのサイズをコンパクト化、構造の単純化と組付けの容易化でコストダウン及びスイッチの切替えで、地震モードと通常モードの切替え可能と従来の懐中電灯の単一型乾電池２個の内、いずれか１個を外して、前記傾倒検出センサーを組み込んで使用可能とする。【解決手段】傾倒検出センサー２４の構造は、円錐コーン傾斜面を金属ボール１５が登る傾斜角度の設定で検出精度を高め、上側コーン電極１３と金属ボール１５と下側コーン電極１４で構成する。また、従来の懐中電灯の単一型乾電池２個の内、いずれか１個を外して、前記傾倒検出センサー２４を組み込んだ単二型または単三型乾電池と交換して使用する。【選択図】図１
2012199038.tif 000002
【特許請求の範囲】
【請求項１】
光源部材と電池とばね部材と収納ケースと切替スイッチの部品で構成される懐中電灯において、前記懐中電灯の長手方向を垂直に置き、前記懐中電灯の構成部品の切替スイッチを除く、他の部品のいずれかの間に、上側電極と金属ボールと下側電極で構成される傾倒検出センサーを挿入し、少なくとも前記下側電極は、前記金属ボール中心側に向けてV字円錐形とし、前記懐中電灯が一定角度以上に傾くと前記金属ボールが前記V字円錐中心位置から外側に移動して、前記上側電極と金属ボールと下側電極を電気的に接続し、前記光源部材が点灯するようにしたことを特徴とする地震用懐中電灯。
【請求項２】
前記請求項１に記載の地震用懐中電灯において、前記切替スイッチの切替モードは、少なくとも「オフ」と「傾倒点灯または地震点灯」と「連続点灯」の３位置を設けたことを特長とする地震用懐中電灯。
【請求項３】
前記請求項１及び２に記載の地震用懐中電灯において、電気配線回路は、前記切替スイッチのコモン端子を電池の陽極に接続し、「傾倒点灯」の出力端子に前記傾倒検出センサーを介して小型ブザーを経由して電池の陰極に接続し、「連続点灯」の出力端子に前記光源部材を介して電池の陰極に接続し、前記小型ブザーの入力端子から前記光源部材の入力端子に向けてダイオードを正方向に接続し、「傾倒点灯」時には前記光源と小型ブザーが作動し、「連続点灯」時には前記光源のみが作動するようにしたことを特長とする地震用懐中電灯。
【請求項４】
前記請求項１に記載の地震用懐中電灯において、従来の懐中電灯を使用し、電池は単一型乾電池と単二型または単三型乾電池を直列に配置する構造で、前記単二型または単三型乾電池の陽極側または陰極側に前記傾倒検出センサーを組込み、電池センサーユニットとし、該電池センサーユニットの総全長を前記単一型乾電池の全長と近似長さ寸法に設定し、従来の懐中電灯に内蔵された前記単一型乾電池２個の内、いずれか１個を外して、前記電池センサーユニットを代わりに組み込んで使用することを特長とする地震用懐中電灯。    
【発明の詳細な説明】
【技術分野】
【０００１】
この発明は、地震発生時に停電しても、立てて置いた懐中電灯が転倒するとランプ及びブザーが自動作動し、懐中電灯の所在が即時に分る地震用懐中電灯に関するものある。  
【背景技術】
【０００２】
下記文献に示す、従来の地震用懐中電灯は傾倒検出センサーが板バネの撓み変化を検出する構造で、検出精度が不十分で、構造が複雑で、コスト高であった。
【先行技術文献】
【特許文献】
【０００３】
【特許文献１】特開２００１−２９７６２０号公報
【発明の概要】
【０００４】
本発明は上記事情に鑑みてなされたもので、前記特許文献では、懐中電灯の転倒を検出するセンサーが、ウエイトを板バネで支え、転倒時に板バネの撓み変化を検出する構造で、板バネの撓み荷重精度を上げることが困難であった。
本案は、懐中電灯の転倒を検出するセンサーをV字円錐形と金属ボールの組み合わせで、立てて置いた懐中電灯が一定角度変化することで金属ボールが移動し、スイッチをオンさせる構造で、部品点数も少なくコスト安で、懐中電灯の傾き角度検出精度の高い地震用懐中電灯を提供するものである。
【発明が解決しようとする課題】
【０００５】
（１）懐中電灯の傾倒検出精度の向上と精度維持の容易化。
（２）倒れ検出センサーのサイズをコンパクト化。
（３）構造の単純化と組付けの容易化でコストダウン。
(４) スイッチの切替で地震モードと通常モードの切替可能に。
(５)  従来の懐中電灯の単一型乾電池２個の内、いずれか１個を外して、前記傾倒検出センサーと単二電池を組み込んで使用可能とする。  
【課題を解決するための手段】
【０００６】
（１）傾倒検出センサーの構造をV字円錐形の傾斜面を金属ボールが登る傾斜角度の設定で、検出精度を高めた。
（２）傾倒検出センサーは上側V字円錐電極と金属ボールと下側V字円錐電極で構成し小型化。
（３）前記構造で部品点数が少なく、組み付け容易で製造コストが安い。
（４）切替スイッチは、オフ・傾倒点灯・連続点灯に切替え可能で便利。
(５)  従来の懐中電灯の単一型乾電池２個の内、いずれか１個を外して、前記傾倒検出センサーを組込んだ単二型または単三型乾電池と交換して使用する。  
【発明の効果】
【０００７】
前記解決手段により、従来品に比べ、下記の点が大幅に改善される。
（１）懐中電灯の傾倒検出精度が向上し、精度維持が容易になる。
（２）傾倒検出センサーの小型化で、従来品とほぼ同等サイズでできる。
（３）構造の単純化と組付けの容易化でコストダウンが図れる。
（４）スイッチの切替で、オフ・傾倒点灯・連続点灯に切替え可能で便利。
(５)  従来の懐中電灯にも、傾倒検出センサーを組み込んだ乾電池が使用可能。  
【図面の簡単な説明】
【０００８】
【図１】本案の側面断面図
【図２】傾倒検出センサーの作動説明図
【図３】本案の切替スイッチ回路説明図
【図４】本案第二実施例の側面断面図
【発明を実施するための形態】
【０００９】
以下に図１から図4を参照して本案の構造と作動を説明する。
図１から図３は本案第一実施例を示すもので、図４は本案第二実施例を示す。
１懐中電灯は装置全体を示し、３上側キャップに２レンズと４電球をねじ込んだ５反射鏡を２８絶縁物を巻いて組込み、９本体ケースを１１ケースねじ上に結合し、８単一電池の７電池陽極を上にして２個組込む、その結果、２０配線板バネは５反射鏡の裏面と接触し、７電池陽極は６電球電極と電気的に接続する。
次に１３上側電極と１５金属ボールと１６電極スペーサと１４下側電極を組込んで１９電極保持部材で囲い、２４傾倒検出センサーとして組込み、その下側から１７電池ばねを組込んで１８下側キャップを１２ケースねじ下に結合し組付けを完成する。また、９本体ケースの外周に２１スイッチ配線部材を収納する凸部を形成し、その外側に２２スイッチノブを組み付けて、２３スイッチを完成させている。また、４電球はLEDまたはニクロム線電球のいずれを使用しても良い。また、２４傾倒検出センサーの構造は図２に示すようにA案とB案があり、相違点は、A案では、１３上側電極を平面形に形成し、１４下側電極をV字円錐形とし、B案では１３上側電極も１４下側電極もV字円錐形としている。作動性は、A案では１懐中電灯の４電球を上側にした時はB案と同等であるが、４電球を下側にした時は金属ボールの停止位置が不安定になる時があり、好ましくない。
一方B案は、４電球を上側にした時も、下側にした時も同等に作動し、金属ボールの停止位置も安定するので、B案の方が性能的にも、部品共用の点からも好ましい。
また、２４傾倒検出センサーの作動を図２のB案で説明すると、１懐中電灯の４電球を上側にして垂直設置し、平常時は、１４下側電極のV字円錐中心位置に１５金属ボールは静止し、その時１５金属ボールの上面と１３上側電極の下面に隙間があり電気的にOFFされており、地震等で１懐中電灯が左側に傾くと１５金属ボールは←Sの様に左に移動し、１５金属ボールの外周X1及びX2が１３上側電極と１４下側電極にそれぞれ接触し、１０電池陰極は１７電池ばねを介して１８下側キャップに通電し、４電球を点灯させる。
具体的には図２のB案設計では１４下側電極のV字円錐角度が１２０度に設定されているので、１懐中電灯を３０度以上傾けると１５金属ボールは←Sの様に左に移動し、４電球を点灯させる。従って、１３上側電極も同様なので１懐中電灯の４電球を下側にして使用した場合も同様に作動する。
次に、スイッチ切替回路は、図３に示すようにA案とB案があり、A案は標準的な仕様回路で、スイッチはOFF/無接触、JL/地震点灯、RL/連続点灯で、JL時は懐中電灯を一定角度以上傾けた時２４傾倒検出センサーが作動し、４電球を点灯させ、RL時は懐中電灯の傾きと無関係に４電球は連続点灯する。
次にB案は、地震仕様回路で、地震発生時が昼間で４電球が点灯しても白昼で見え難く、放置されると電池消耗のみに成ることを防止するため、JL時は懐中電灯を一定角度以上傾けた時２４傾倒検出センサーが作動し、２６小型ブザーと２５ダイオード介して４電球を点灯させ、RL時は懐中電灯の傾きと無関係に４電球は連続点灯させ、２６小型ブザーは２５ダイオートが逆特性のため作動しない回路で構成されている。
両者の比較では、B案は部品コストが高くなるが、非常時の懐中電灯所在位置が音声を含めてより明確になり、特に昼間時は、知らずに放置して不要に電池消耗させることを防止することが出来て好ましい。
【００１０】
次に、図４で本案の第二実施例を説明する。
各家庭では既に多くの１a従来型懐中電灯をお持ちであり、その１a従来型懐中電灯に本案を採用した改修時の事例で、従来の８単一乾電池２個の内、下側の１個を取り外し、図４の様に２４b小型傾倒検出センサーを８a単二電池と組合せ１９a電極保持部材で囲んで、２７電池センサーユニットを構成し、それを前記８単一乾電池を取り外した代わりに組付けて、１７電池ばねと１８下側キャップを組付けて完成する。
尚、８単一乾電池の全長L1に対し、８a単二電池と４b小型傾倒検出センサーを組合せた２７電池センサーユニットの全長L2の関係は、L1=L2とすることが好ましいが、１７電池ばねの撓みで若干の誤差は吸収されるので、L2の寸法は多少変動しても問題ない。また、８a単二電池は単三電池と全長が同じで、太さと容量が異なるもので、電圧仕様は同じなのでいずれを使用しても良い。
作動は、従来型のスイッチは一般に「OFF」と「ボタン点灯」と「連続点灯」に設計されているので、前記「連続点灯」にして、１a従来型懐中電灯の４電球を上にして放置すれば、地震発生と同時に１a従来型懐中電灯は転倒し、４b小型傾倒検出センサーが作動し、４電球が点灯するので１a従来型懐中電灯の居場所を教えてくれてとても便利です。        
【産業上の利用可能性】
【００１１】
懐中電灯は生活の必需品であると同時に、特に地震発生時の停電には欠かせない準備器具です。しかし、通常の懐中電灯の保管場所は机の上に置いたり、柱に固定していますが、いざ、停電の時には、真っ暗で、その懐中電灯を探すことが困難です。
そこで、本案は懐中電灯に傾倒検出センサーを内蔵させて、懐中電灯を机の上等に立て、スイッチは「地震点灯」で保管すれば、地震発生により懐中電灯は転倒し、小型ブザーと電球が自動的に作動し、音を発しながら周りを照らしてくれ、懐中電灯の居場所を教えてくれるので、安心して懐中電灯を手にする事ができ、とても便利です。音がうるさければ「連続点灯」にすれば、音は消えてランプのみ連続点灯できます。
切替スイッチのモードも「オフ」「傾倒点灯または地震点灯」「連続点灯」を意味する３位置を表示し、「傾倒点灯または詩人点灯」モードでは、懐中電灯を垂直に持てばランプとブザーは消え、傾ければランプ点灯とブザー音がするので、昼間の明るい時でも、他人に注目させる事もできます。地震の多い我が国においては、今後は前記機能を備えた懐中電灯を標準仕様にしたいものです。
【符号の説明】
【００１２】
１懐中電灯、２レンズ、３上側キャップ、４光源部材/電球、５反射鏡、６電球電極、７電池陽極、８単一電池、８a単二電池、９本体ケース、１０電池陰極、１１ケースねじ上、１２ケースねじ下、１３上側電極、１４下側電極、１５金属ボール、１５a移動後の金属ボール、１５b小型金属ボール、１６電極スペーサ、１７電池ばね、１８下側キャップ、１９電極保持材、１９a電極保持材、２０配線板バネ、２１スイッチ配線部材、２２スイッチノブ、２３スイッチ、２４傾倒検出センサー/B案、２４a傾倒検出センサー/A案、２４b小型傾倒検出センサー、２５ダイオード、２６小型ブザー、２７電池センサーユニット、２８絶縁物、X1上側接触点、X2下側接触点
【図１】
2012199038.tif 000003
【図２】
2012199038.tif 000004
【図３】
2012199038.tif 000005
【図４】
2012199038.tif 000006
【手続補正書】
【提出日】平成23年11月28日(2011.11.28)
【手続補正１】
【補正対象書類名】特許請求の範囲
【補正対象項目名】全文
【補正方法】変更
【補正の内容】
【特許請求の範囲】
【請求項１】
光源部材と電池と傾倒センサーと電池ばねと本体ケースとスイッチの部品で構成される地震用懐中電灯において、
前記傾倒センサーは、上下電極とボールの組付手段により１個の傾倒センサーユニットに構成し、前記本体ケース内に前記光源部材と電池と傾倒センサーユニットと電池ばねを直列に挿入配置し、前記本体ケースの側面に配置したスイッチは、スイッチ回路手段により「ＯＦＦ」と「傾倒点灯」と「連続点灯」の３位置に切替可能とし、前記「傾倒点灯」位置では傾倒センサーがＯＮした時、ランプ又はランプとブザーが作動し、前記「連続点灯」位置では傾倒センサーのＯＮ、ＯＦＦに関わらずランプのみが連続点灯するようにしたことを特徴とする地震用懐中電灯。
【請求項２】
前記請求項１に記載の地震用懐中電灯において、
前記傾倒センサーの上下電極とボールの組付手段は、平面鍔の内側にＶ字円錐形の下側電極と金属ボールと中央に凹みの有る平面板又は平面鍔の内側にＶ字円錐形の下側電極を備え、前記金属ボールが前記下側電極のＶ字円錐形の中央にある時、上側電極の下面と一定の隙間を確保した状態で、前記上下電極の外側平面部間に電極スペーサを挿入し、その外側から電極保持材で固定して、１個の傾倒センサーユニットを構成し、傾倒センサーユニット単品としての性能検査を可能にすると共に、懐中電灯への組付性を向上させたことを特徴とする地震用懐中電灯。

【請求項３】
前記請求項１又は2のいずれか１つに記載の地震用懐中電灯において、
スイッチのスイッチ回路手段は、本体ケースの外周に設けたスイッチは「OFF」と「傾斜点灯」と「連続点灯」の３位置にスライド切替可能な構造で、「OFF」位置では、電池電源は遮断され、「傾倒点灯」位置では、傾倒センサーがONの時のみ電池電源でランプ又はブザーとダイオードを通してランプの両方を作動させ、「連続点灯」位置では、電池電源で、傾倒センサーと無関係にランプを作動させるようにしたことを特徴とする地震用懐中電灯。
【請求項４】
前記請求項1から3のいずれか１つに記載の地震用懐中電灯において、
前記傾倒センサーユニットと単二又は単三電池を連結した状態で外周を19a電
極保持部材により 固定して電池センサーユニットとし、前記本体ケース内に前記光源部材と単一電池と電池センサーユニットと電池ばねを直列に挿入配置し、電池センサーユニット単品としての性能検査を可能にすると共に、懐中電灯への組付性を向上させ、更に前記本体ケースの長さを短縮させたことを特徴とする地震用懐中電灯。
【手続補正２】
【補正対象書類名】明細書
【補正対象項目名】０００５
【補正方法】変更
【補正の内容】
【０００５】
（１）懐中電灯の傾倒検出精度の向上と精度維持の容易化。
（２）倒れ検出センサーのサイズをコンパクト化。
（３）構造の単純化と組付けの容易化でコストダウン。
(４) スイッチの切替で地震モードと通常モードの切替可能に。
【手続補正３】
【補正対象書類名】明細書
【補正対象項目名】０００６
【補正方法】変更
【補正の内容】
【０００６】
（１）傾倒検出センサーの構造をV字円錐形の傾斜面を金属ボールが登る傾斜角度の設定で、検出精度を高めた。
（２）傾倒検出センサーは上側V字円錐電極と金属ボールと下側V字円錐電極で構成し小型化。
（３）前記構造で部品点数が少なく、組み付け容易で製造コストが安い。
（４）切替スイッチは、オフ・傾倒点灯・連続点灯に切替え可能で便利。
【手続補正４】
【補正対象書類名】明細書
【補正対象項目名】０００７
【補正方法】変更
【補正の内容】
【０００７】
前記解決手段により、従来品に比べ、下記の点が大幅に改善される。
（１）懐中電灯の傾倒検出精度が向上し、精度維持が容易になる。
（２）傾倒検出センサーの小型化で、従来品とほぼ同等サイズでできる。
（３）構造の単純化と組付けの容易化でコストダウンが図れる。
（４）スイッチの切替でオフ・傾倒点灯・連続点灯に切替え可能で便利。
【手続補正５】
【補正対象書類名】明細書
【補正対象項目名】００１０
【補正方法】変更
【補正の内容】
【００１０】
次に、図４で本案の第二実施例を説明する。
前記の８単一乾電池２個の内、下側の１個を取り外し、図４の様に２４b小型傾倒検出センサーを８a単二電池と組合せ１９a電極保持部材で囲んで、２７電池センサーユニットを構成し、それを前記８単一乾電池を取り外した代わりに組付けて、１７電池ばねと１８下側キャップを組付けて完成する。
尚、８単一乾電池の全長L1に対し、８a単二電池と４b小型傾倒検出    センサーを組合せた２７電池センサーユニットの全長L2の関係は、L1=L2とすることが好ましいが、１７電池ばねの撓みで若干の誤差は吸収されるので、L2の寸法は多少変動しても問題ない。また、８a単二電池は単三電池と全長が同じで、太さと容量が異なるもので、電圧仕様は同じなのでいずれを使用しても良い。
【手続補正６】
【補正対象書類名】明細書
【補正対象項目名】００１１
【補正方法】変更
【補正の内容】
【００１１】
懐中電灯は生活の必需品であると同時に、特に地震発生時の停電には欠かせない準備器具です。しかし、通常の懐中電灯の保管場所は机の上に置たり、柱に固定していますが、いざ、停電の時には、真っ暗で、その懐中電灯を探すことが困難です。
そこで、本案は懐中電灯に傾倒検出センサーを内蔵させて、懐中電灯を机の上等に立て、スイッチは「地震点灯」で保管すれば、地震発生により懐中電灯は転倒し、小型ブザーと電球が自動的に作動し、音を発しながら周りを照らしてくれ、懐中電灯の居場所を教えてくれるので、安心して懐中電灯を手にする事ができ、とても便利です。音がうるさければ「連続点灯」にすれば、音は消えてランプのみ連続点灯できます。
切替スイッチのモードも「オフ」「傾倒点灯または地震点灯」「連      続点灯」を意味する３位置を表示し、「傾倒点灯または地震点灯」モードでは、懐中電灯を垂直に持てばランプとブザーは消え、傾ければランプ点灯とブザー音がするので、昼間の明るい時でも、他人に注目させる事もできます。地震の多い我が国においては、今後は前記機能を備えた懐中電灯を標準仕様にしたいものです。